(57)【特許請求の範囲】
【請求項１】
第１の拠点の第１の機器と第２の拠点の第２の機器が通信する通信システムであって、
前記第１の機器は、
前記第２の機器と通信を開始する通信開始手段と、
前記第１の機器と有線又は無線により接続された第１の拠点の他の機器から、前記第２の拠点の他の機器が前記第１の拠点の他の機器に接続するための接続情報、及び、前記第１の拠点の他の機器の種別を示す種別情報を取得する接続情報取得手段と、
前記接続情報及び前記種別情報を前記第２の機器に送信する送信手段と、を有し、
前記第２の機器は、
前記第１の機器から前記接続情報及び前記種別情報を受信する受信手段と、
前記第２の機器と有線又は無線により接続された前記第２の拠点の他の機器から前記接続情報及び前記第２の拠点の他の機器の種別を示す前記種別情報を取得しておき、前記受信手段が受信した前記種別情報と、前記第２の拠点の他の機器から取得した前記種別情報とを比較した結果に応じて、前記受信手段が受信した前記接続情報を前記第２の拠点の他の機器に送信する他機器通信手段と、を有する通信システム。
【請求項２】
前記第２の機器の前記他機器通信手段が有線又は無線により接続された前記第２の拠点の他の機器を検出しない場合、
前記受信手段は前記第２の拠点の他の機器が存在しない旨を前記第１の機器に通知する請求項１に記載の通信システム。
【請求項３】
前記第１の機器は、
前記第２の機器から前記第２の拠点の他の機器が存在しない旨の通知を受けた場合、前記第２の拠点に前記第２の拠点の他の機器が存在しない旨を表示装置に表示する請求項２に記載の通信システム。
【請求項４】
前記第１の機器は、前記送信手段が前記第２の機器に前記接続情報を送信する前に、前記接続情報を送信する旨を表示装置に表示する請求項１〜３のいずれか１項に記載の通信システム。
【請求項５】
前記接続情報取得手段は前記第１の拠点の他の機器に自機の識別情報を送信し、前記第１の拠点の他の機器から前記第２の拠点の他の機器と通信する機器であることの通知を受けた場合、
前記送信手段が、前記接続情報を前記第２の機器に送信する請求項１〜４のいずれか１項に記載の通信システム。
【請求項６】
前記接続情報取得手段は、前記第１の拠点の他の機器と互いの識別情報を交換し、
前記第１の機器は自機と前記第１の拠点の他の機器の前記識別情報を外部装置に送信し、前記第１の拠点の他の機器は自機と前記第１の機器の前記識別情報を前記外部装置に送信し、
前記外部装置が前記第１の拠点と前記第２の拠点に存在する機器に応じて、前記接続情報を前記第２の拠点に送信する機器として前記第１の機器を決定し、前記外部装置から該決定の旨の通知を前記第１の機器が受けた場合に、前記送信手段は前記接続情報を前記第２の機器に送信する請求項１〜５のいずれか１項に記載の通信システム。
【請求項７】
前記第１の機器は、前記外部装置から前記第２の拠点に存在する機器のリストを取得し、表示装置に表示する請求項６に記載の通信システム。
【請求項８】
前記第１の拠点に存在する前記第１の拠点の他の機器、及び、前記第２の拠点に存在する前記第２の拠点の他の機器を有し、
前記第２の拠点の他の機器は、他機器通信手段から送信された前記接続情報を用いて前記第１の拠点の他の機器に接続する接続手段を有する請求項１〜７のいずれか１項に記載の通信システム。
【請求項９】
前記第１の機器はＨＤＭＩケーブル又はBluetooth（登録商標）を介して前記第１の拠点の他の機器と通信する請求項１〜８のいずれか１項に記載の通信システム。
【請求項１０】
第１の拠点の伝送端末と有線又は無線により接続された前記第１の拠点の他の機器に第２の拠点の他の機器が接続するための接続情報、及び、前記第１の拠点の他の機器の種別を示す種別情報を前記第１の拠点の前記伝送端末から受信する受信手段と、
前記第２の拠点の第２の伝送端末と有線又は無線により接続された前記第２の拠点の他の機器から前記接続情報及び前記第２の拠点の他の機器の種別を示す前記種別情報を取得しておき、前記受信手段が受信した前記種別情報と、前記第２の拠点の他の機器から取得した前記種別情報とを比較した結果に応じて、前記受信手段が受信した前記接続情報を、前記第２の拠点の他の機器に送信する他機器通信手段と、を有する前記第２の拠点の第２の伝送端末と通信する前記第１の拠点の前記伝送端末であって、
前記第２の拠点の前記第２の伝送端末と通信を開始する通信開始手段と、
前記第１の拠点の前記伝送端末に有線又は無線により接続された前記第１の拠点の他の機器から、前記接続情報、及び、前記第１の拠点の他の機器の種別を示す種別情報を取得する接続情報取得手段と、
前記接続情報及び前記種別情報を前記第２の伝送端末に送信する送信手段と、を有する伝送端末。
【請求項１１】
第１の拠点の情報処理装置と有線又は無線により接続された前記第１の拠点の他の機器に第２の拠点の他の機器が接続するための接続情報、及び、前記第１の拠点の他の機器の種別を示す種別情報を前記第１の拠点の前記情報処理装置から受信する受信手段と、
前記第２の拠点の伝送端末と有線又は無線により接続された前記第２の拠点の他の機器から前記接続情報及び前記第２の拠点の他の機器の種別を示す前記種別情報を取得しておき、前記受信手段が受信した前記種別情報と、前記第２の拠点の他の機器から取得した前記種別情報とを比較した結果に応じて、前記受信手段が受信した前記接続情報を、前記第２の拠点の他の機器に送信する他機器通信手段と、を有する前記第２の拠点の伝送端末と通信する前記第１の拠点の前記情報処理装置に、
前記第２の拠点の伝送端末と通信を開始する通信開始ステップと、
前記第１の拠点の前記情報処理装置に有線又は無線により接続された前記第１の拠点の他の機器から、前記接続情報、及び、前記第１の拠点の他の機器の種別を示す種別情報を取得する接続情報取得ステップと、
前記接続情報及び前記種別情報を前記第２の拠点の伝送端末に送信する送信ステップと、を実行させるためのプログラム。
【請求項１２】
第１の拠点の情報処理装置と有線又は無線により接続された前記第１の拠点の他の機器に第２の拠点の他の機器が接続するための接続情報、及び、前記第１の拠点の他の機器の種別を示す種別情報を前記第１の拠点の前記情報処理装置から受信する受信手段と、
前記第２の拠点の伝送端末と有線又は無線により接続された前記第２の拠点の他の機器から前記接続情報及び前記第２の拠点の他の機器の種別を示す前記種別情報を取得しておき、前記受信手段が受信した前記種別情報と、前記第２の拠点の他の機器から取得した前記種別情報とを比較した結果に応じて、前記受信手段が受信した前記接続情報を、前記第２の拠点の他の機器に送信する他機器通信手段と、を有する第２の拠点の伝送端末と通信する前記第１の拠点の前記情報処理装置によって行われる通信方法であって、
前記第２の拠点の伝送端末と通信を開始する通信開始ステップと、
前記第１の拠点の前記情報処理装置に有線又は無線により接続された前記第１の拠点の他の機器から、前記接続情報、及び、前記第１の拠点の他の機器の種別を示す種別情報を取得する接続情報取得ステップと、
前記接続情報及び前記種別情報を前記第２の拠点の伝送端末に送信する送信ステップと、を有する通信方法。
【請求項１３】
第１の拠点の第１の機器と第２の拠点の第２の機器が通信する通信システムによって行われる通信方法であって、
前記第１の機器は、
前記第２の機器と通信を開始する通信開始ステップと、
前記第１の機器と有線又は無線により接続された前記第１の拠点の他の機器から、前記第２の拠点の他の機器が前記第１の拠点の他の機器に接続するための接続情報、及び、前記第１の拠点の他の機器の種別を示す種別情報を取得する接続情報取得ステップと、
前記接続情報及び前記種別情報を前記第２の機器に送信する送信ステップと、を有し、
前記第２の機器は、
前記第１の機器から前記接続情報及び前記種別情報を受信する受信ステップと、
前記第２の機器と有線又は無線により接続された前記第２の拠点の他の機器から前記接続情報及び前記第２の拠点の他の機器の種別を示す前記種別情報を取得しておき、前記受信ステップにより受信された前記種別情報と、前記第２の拠点の他の機器から取得した前記種別情報とを比較した結果に応じて、前記受信ステップにより受信された前記接続情報を、前記第２の機器と有線又は無線により接続された前記第２の拠点の他の機器に送信する他機器通信ステップと、を有する通信方法。
【発明の詳細な説明】
【技術分野】
【０００１】
本発明は、通信システム、伝送端末、通信方法及びプログラムに関する。
【背景技術】
【０００２】
ネットワークなどのインフラ整備が進むにつれネットワークを介して通信する機器の利用が増えるようになった。例えば、テレビ会議システムでは、インターネット等の通信ネットワークを介して遠隔地に配置されたそれぞれの伝送装置が遠隔会議を行うことができる。また、別々の拠点に配置された電子黒板と呼ばれる機器がネットワークを介して通信し、電子黒板のディスプレイの表示内容を互いに送信することで表示内容を共有するシステム（便宜的に電子黒板システムという）も存在する。
【０００３】
そして、これら異なるシステムをユーザが同時に使用することで、遠隔地同士のユーザがより高度なコミュニケーションを行うことが可能になると期待される。
【０００４】
ところで、ネットワークを介して互いに通信する機器は、通信の安全性を確保するために、サーバや相手機器から認証を受けることが多い。しかしながら、認証は各システムごとに行われるものであるため、テレビ会議システムと電子黒板システムを使用するユーザはそれぞれのシステムで別々に機器の認証を受ける必要がある。このため、ユーザがテレビ会議システムを使いながら電子黒板システムを使用する場合には、ユーザは２回の認証操作が必要であり、ユーザの操作負担となっている。
【０００５】
このような操作負担を低減する技術が考案されている（例えば、特許文献１参照。）。特許文献１には、複数の通信端末が第１通信手段にて通信中に、第１通信端末から第２通信端末への第２通信手段による通信要求を受けると、第１通信手段における第２通信端末の接続情報を取得し、第１通信手段における第２通信端末の接続情報に対応する第２通信手段における第２通信端末の接続情報を取得し、第１通信端末と第２通信端末の第２通信手段による通信を行うサーバが開示されている。
【発明の概要】
【発明が解決しようとする課題】
【０００６】
しかしながら、特許文献１に記載された技術では、通信を開始する前にサーバのデータベース上にユーザが予め通信端末の通信手段毎に接続情報を記憶させておかなければならないという問題がある。
【０００７】
本発明は、上記課題に鑑み、ネットワークを介した機器同士の通信の際に通信の開始に係るユーザの負担を低減することができる通信システムを提供することを目的とする。
【課題を解決するための手段】
【０００８】
本発明は、第１の拠点の第１の機器と第２の拠点の第２の機器が通信する通信システムであって、前記第１の機器は、前記第２の機器と通信を開始する通信開始手段と、前記第１の機器と有線又は無線により接続された第１の拠点の他の機器から、前記第２の拠点の他の機器が前記第１の拠点の他の機器に接続するための接続情報、及び、前記第１の拠点の他の機器の種別を示す種別情報を取得する接続情報取得手段と、前記接続情報及び前記種別情報を前記第２の機器に送信する送信手段と、を有し、
前記第２の機器は、前記第１の機器から前記接続情報及び前記種別情報を受信する受信手段と、前記第２の機器と有線又は無線により接続された前記第２の拠点の他の機器から前記接続情報及び前記第２の拠点の他の機器の種別を示す前記種別情報を取得しておき、前記受信手段が受信した前記種別情報と、前記第２の拠点の他の機器から取得した前記種別情報とを比較した結果に応じて、前記受信手段が受信した前記接続情報を前記第２の拠点の他の機器に送信する他機器通信手段と、を有する。
【発明の効果】
【０００９】
ネットワークを介した機器同士の通信の際に通信の開始に係るユーザの負担を低減することができる通信システムを提供することができる。
【図面の簡単な説明】
【００１０】
【図１】第１通信システムＳ１と第２通信システムＳ２の認証手順を説明する図の一例である。
【図２】第１通信システムＳ１の一例の概略図である。
【図３】伝送端末のハードウェア構成図の一例である。
【図４】伝送管理システムのハードウェア構成図の一例である。
【図５】第２通信システムＳ２の全体構成図の一例である。
【図６】電子黒板のハードウェア構成図の一例である。
【図７】第１通信システムＳ１及び第２通信システムＳ２に含まれる伝送端末，伝送管理システム，及び、電子黒板の機能ブロック図の一例である。
【図８】伝送端末１０ａａと１０ａｂがセッションを確立する手順を示すシーケンス図の一例である。
【図９】電子黒板３０ａａと３０ａｂが会議を開始する手順を示すシーケンス図の一例である。
【図１０】電子黒板３０ａｂが第１通信システムＳ１を利用して電子黒板３０ａａから認証を受ける手順を示すシーケンス図の一例である。
【図１１】電子黒板、伝送端末のディスプレイに表示されるメッセージの一例を示す図である。
【図１２】電子黒板３０ａｂが第１通信システムＳ１を利用して電子黒板３０ａａから認証を受ける手順を示すシーケンス図の一例である。
【図１３】伝送端末に接続されたディスプレイ，及び電子黒板のディスプレイに表示されたメッセージの一例を示す図である。
【図１４】電子黒板の周囲に複数の伝送端末が存在している場合の伝送端末の選択を説明する図の一例である。
【図１５】第１通信システムＳ１及び第２通信システムＳ２に含まれる伝送端末，伝送管理システム，及び、電子黒板の機能ブロック図の一例である（実施例２）。
【図１６】伝送管理システムが認証する機器を決定する手順を示すシーケンス図の一例である。
【図１７】伝送端末のディスプレイに表示された拠点Ｂの機器のリストを示す図の一例である。
【発明を実施するための形態】
【００１１】
以下、本発明を実施するための形態について図面を参照しながら説明する。
【実施例１】
【００１２】
図１を用いて、本実施形態の認証手順の概略を説明する。図１（ａ）は、比較のために示した第１通信システムＳ１と第２通信システムＳ２それぞれの従来の認証手順を説明する図の一例である。伝送端末１０ａａと１０ａｂが第１通信ネットワークＮ１を介して通信するシステムを第１通信システムＳ１と称し、電子黒板３０ａａ（第１の拠点の他の機器）と電子黒板３０ａｂ（第２の拠点の他の機器）が第２通信ネットワークＮ２を介して通信するシステムを第２通信システムＳ２と称する。
【００１３】
図１（ａ）に示すように、伝送端末１０ａａと電子黒板３０ａａは同じ拠点（拠点Ａとする）に配置されており、伝送端末１０ａｂと電子黒板３０ａｂは同じ拠点（拠点Ｂとする）に配置されている。伝送端末１０ａａと電子黒板３０ａａは有線又は無線により通信することができ、伝送端末１０ａａがディスプレイ１２０ａａに表示する画面を電子黒板３０ａａがディスプレイ３ａの領域Ｄａに表示することができる。伝送端末１０ａｂと電子黒板３０ａｂについても同様である。
【００１４】
また、伝送端末１０ａａと１０ａｂは第１通信ネットワークＮ１を介して通信することができ、電子黒板３０ａａと３０ａｂは第２通信ネットワークＮ２を介して通信することができる。拠点ＡのユーザＡは拠点ＢのユーザＢと伝送端末１０ａａ、１０ａｂを用いてテレビ会議しながら、電子黒板３０ａａに文字や図形を描画する。電子黒板３０ａｂは電子黒板３０ａａと通信して電子黒板３０ａに描画された文字や図形をディスプレイ３ｂに表示する。したがって、ユーザＡとユーザＢはテレビ会議しながら電子黒板３０への描画内容を共有することができる。
【００１５】
このような構成において、ユーザＡが伝送端末１０ａａと電子黒板３０ａａを用いて伝送端末１０ａｂと電子黒板３０ａｂを使用するユーザＢとテレビ会議を始めるためには、従来、以下のような手順が必要であった。
（１）ユーザＡは伝送端末１０ａａを操作して伝送端末１０ａｂとのセッション（通信）を確立する。この過程で伝送端末１０ａａと１０ａｂの認証が行われる。
（２）ユーザＡは電子黒板３０ａａのＩＰアドレスとパスコードを電話などの何らかの方法でユーザＢに知らせて、ユーザＢが電子黒板３０ａｂに入力することで電子黒板３０ａｂが電子黒板３０ａａから認証を受け通信を開始する。
【００１６】
したがって、ユーザＡは伝送端末１０ａａと電子黒板３０ａａを用いてユーザＢと会議するために、伝送端末１０ａａと１０ａｂを接続する作業と、電子黒板３０ａａと３０ａｂを接続する作業が別々に必要であった。
【００１７】
次に、図１（ｂ）を用いて本実施形態の認証の手順を説明する。図１（ｂ）は、本実施形態において第１通信システムＳ１と第２通信システムＳ２の認証手順を説明する図の一例である。
（１）伝送端末１０ａａの接続を検出した電子黒板３０ａａは伝送端末１０ａａに自分のＩＰアドレスとパスコードを送信する。
（２）ユーザＡは伝送端末１０ａａを操作して伝送端末１０ａｂとのセッション（通信）を確立する。この過程で伝送端末１０ａａと１０ａｂの認証が行われる。
（３）伝送端末１０ａａは電子黒板３０ａａのＩＰアドレスとパスコードを伝送端末１０ａｂに送信する。
（４）伝送端末１０ａｂは電子黒板３０ａａのＩＰアドレスとパスコードを電子黒板３０ａｂに送信する。
（５）電子黒板３０ａｂは電子黒板３０ａａのＩＰアドレスとパスコードを用いて電子黒板３０ａａから認証を受けて電子黒板３０ａｂと通信を開始する。
【００１８】
電子黒板３０ａａのＩＰアドレスとパスコードは、第１通信システムＳ１により認証された伝送端末１０ａａから伝送端末１０ａｂに送信されたものなので、ユーザＡが使用している電子黒板３０ａａのＩＰアドレスとパスコードであることが検証されている。伝送端末１０ａｂは同じく第１通信システムＳ１により認証済みなので伝送端末１０ａｂと接続された電子黒板３０ａｂもユーザＢが使用しているものであることが検証されている。
【００１９】
したがって、本実施形態の第２通信システムＳ２は、第１通信システムＳ１により認証された伝送端末１０ａａと１０ａｂを使って、電子黒板３０ａａと３０ａｂの認証を行うことができる。すなわち、予め伝送端末１０ａａと電子黒板３０ａａとが紐付けられたデータベースを用いることなく、ユーザは１回の認証に必要な操作を行うだけで、第１通信システムＳ１と第２通信システムＳ２における認証を終わらせることができる。また、ユーザの操作負担を軽減することができる。
【００２０】
＜第１通信システムＳ１の構成例＞
図２は、本実施形態に係る第１通信システムＳ１の一例の概略図である。第１通信システムＳ１は、伝送管理システム５０を介して複数の伝送端末間で情報や感情等を相互に伝達するためのコミュニケーションシステムである。第１通信システムＳ１には、テレビ会議システム、テレビ電話システム、音声会議システム、音声電話システム、ＰＣ（Personal Computer）画面共有システム、テキストチャットシステム等が例として挙げられる。また、第１通信システムＳ１には、伝送管理システム５０を介して一方の伝送端末から他方の伝送端末に一方向でコンテンツデータを伝送するデータ提供システムが含まれる。
【００２１】
本実施形態では、コミュニケーションシステムの一例としてのテレビ会議を行うことができるシステムを想定して説明する。
【００２２】
図２に示されている第１通信システムＳ１は、複数の伝送端末（１０ａａ，１０ａｂ，・・・）、複数の携帯端末（２０ａａ，２０ａｂ，・・・）、各伝送端末（１０ａａ，１０ａｂ，・・・）用のディスプレイ（１２０ａａ，１２０ａｂ，・・・）、複数の中継装置（４０ａ，４０ｂ，・・・）、伝送管理システム５０、及び、プログラム提供システム９０によって構築されている。
【００２３】
複数の伝送端末１０は、コンテンツデータの一例としての画像データ及び音声データの送受信を行う。すなわち、複数の伝送端末１０は、テレビ会議サービスを利用することができるテレビ会議端末である。本実施形態では、伝送端末１０はテレビ会議に専用の端末であるとする。
【００２４】
他方、複数の携帯端末２０は、コンテンツデータの一例としての画像データ及び音声データの送受信を行う。携帯端末２０はテキストデータを送受信可能であってもよい。すなわち、複数の携帯端末２０は、テレビ会議だけでなく、テキストチャットを利用できてもよい。本実施形態では、携帯端末２０は、特に断らない限り、タブレット型端末、携帯電話、スマートフォン、ＰＤＡ（Personal Digital Assistant）、ウェアラブルコンピュータ、監視カメラ、電子黒板、ゲーム機器、汎用ＰＣ端末、カーナビゲーション端末、プロジェクタなどの投影装置又は通信機能を備えた産業用機器などでもよい。ウェアラブルコンピュータには、腕時計やヘッドマウントディスプレイ等が含まれる。また、産業用機器には、ＭＦＰ（Multifunctional Peripheral/Printer/Product）等のオフィス機器、内視鏡等の医療用機器、耕耘機等の産業用機器などが含まれる。
【００２５】
なお、携帯端末２０は、例えば携帯電話通信網やＷｉＦｉ（Wireless Fidelity）などを介して第１通信ネットワークＮ１に無線で接続されている。
【００２６】
後述するハードウェア構成から明らかなように伝送端末１０及び携帯端末２０は情報処理装置と称される。
【００２７】
伝送端末１０及び携帯端末２０は、コミュニケーションシステムの呼制御を管理する伝送管理システム５０により管理される。
【００２８】
なお、以下では、複数の伝送端末（１０ａａ，１０ａｂ，・・・）のうちの任意の伝送端末は「伝送端末１０」と表され、複数の携帯端末（２０ａａ，２０ａｂ，・・・）のうちの任意の携帯端末は「携帯端末２０」と表されている。ディスプレイ１２０、中継装置４０、ルータ７０についても同様とする。
【００２９】
また、一方の伝送端末１０又は携帯端末２０から他方の伝送端末１０又は携帯端末２０へテレビ会議の開始を要求する端末は「要求元端末」と表され、要求先である宛先としての端末は「宛先端末」と表されている。
【００３０】
また、第１通信システムＳ１において、要求元端末と宛先端末との間では、伝送管理システム５０を介して、各種の管理情報を送受信するための管理情報用セッションが確立される。また、要求元端末と宛先端末との間では、中継装置４０を介して、コンテンツデータを送受信するためのセッションが確立される。なお、コンテンツデータのセッションでは、必ず中継装置４０を介する必要はなく、伝送管理システム５０を介してセッションが確立されてもよいし、要求元端末と宛先端末とが直接セッションを確立してもよい。
【００３１】
中継装置４０は、上記のように、複数の伝送端末１０と携帯端末２０との間で、コンテンツデータの中継を行う。
【００３２】
伝送管理システム５０は、伝送端末１０及び携帯端末２０のログイン認証、通話状況の管理、宛先リストの管理、及び、中継装置４０に対しコンテンツデータの送信先を通知したり通話状況を管理させる等を行う。
【００３３】
プログラム提供システム９０は、後述のＨＤ（Hard Disk）３０４に、伝送端末１０や携帯端末２０に各種機能を実現させるための端末用プログラムを記憶しており、伝送端末１０や携帯端末２０に端末用プログラムを送信することができる。プログラム提供システム９０はＨＤ３０４に、伝送管理システム５０に各種機能を実現させるための伝送管理用プログラム３２０をも記憶しており、伝送管理システム５０に伝送管理用プログラム３２０を送信することができる。
【００３４】
伝送端末（１０ａａ，１０ａｂ，１０ａｃ，・・・）、中継装置４０ａ、及びルータ７０ａは、ＬＡＮ２ａによって通信可能に接続されている。伝送端末（１０ｂａ，１０ｂｂ，１０ｂｃ，・・・）、携帯端末（２０ａａ、２０ａｂ、…）、中継装置４０ｂ、及びルータ７０ｂは、ＬＡＮ２ｂによって通信可能に接続されている。また、ＬＡＮ２ａ及びＬＡＮ２ｂは、ルータ７０ａｂが含まれた専用線２ａｂによって通信可能に接続されており、所定の地域Ａ内で構築されている。例えば、地域Ａは日本であり、ＬＡＮ２ａは東京の事業所内で構築されており、ＬＡＮ２ｂは大阪の事業所内で構築されている。また、携帯端末（２０ａａ，２０ａｂ，・・・）は、地域Ａで利用されている。
【００３５】
一方、伝送端末（１０ｃａ，１０ｃｂ，１０ｃｃ，・・・）、中継装置４０ｃ、及びルータ７０ｃは、ＬＡＮ２ｃによって通信可能に接続されている。伝送端末（１０ｄａ，１０ｄｂ，１０ｄｃ，・・・）、携帯端末（２０ａｃ、２０ａｄ、…）、中継装置４０ｄ、及びルータ７０ｄは、ＬＡＮ２ｄによって通信可能に接続されている。また、ＬＡＮ２ｃ及びＬＡＮ２ｄは、ルータ７０ｃｄが含まれた専用線２ｃｄによって通信可能に接続されており、所定の地域Ｂ内で構築されている。例えば、地域Ｂはアメリカ合衆国であり、ＬＡＮ２ｃはニューヨークの事業所内で構築されており、ＬＡＮ２ｄはワシントンＤ．Ｃ．の事業所内で構築されている。また、携帯端末（２０ａｃ，２０ａｄ，・・・）は、地域Ｂで利用されている。
【００３６】
また、伝送管理システム５０及びプログラム提供システム９０は、インターネットｉを介して、伝送端末１０、携帯端末２０及び中継装置４０と通信可能に接続されている。伝送管理システム５０又はプログラム提供システム９０は、地域Ａ又は地域Ｂに設置されていてもよいし、これら以外の地域に設置されていてもよい。ＬＡＮ２ａ、２ｂ、２ａｂ、２ｃ、２ｄ、２ｃｄ及びインターネットｉにより第１通信ネットワークＮ１が実現されている。
【００３７】
また、図２において、各伝送端末１０、各携帯端末２０、各中継装置４０、伝送管理システム５０、各ルータ７０、及び、プログラム提供システム９０の下に示されている４組の数字は、一般的なＩＰｖ４におけるＩＰアドレスを簡易的に示している。
【００３８】
＜ハードウェア構成＞
＜＜伝送端末＞＞
次に、図３を用いて、伝送端末１０のハードウェア構成について説明する。図３は、本実施形態に係る伝送端末のハードウェア構成図の一例である。図３に示されているように、本実施形態の伝送端末１０は、伝送端末１０全体の動作を制御するＣＰＵ（Central Processing Unit）１０１を有する。また、ＩＰＬ（Initial Program Loader）等のＣＰＵ１０１の駆動に用いられるプログラムを記憶したＲＯＭ（Read Only Memory）１０２を有する。また、ＣＰＵ１０１のワークエリアとして使用されるＲＡＭ（Random Access Memory）１０３、端末用プログラム１３０、画像データ、及び音声データ等の各種データを記憶するフラッシュメモリ１０４を有する。また、ＣＰＵ１０１の制御にしたがってフラッシュメモリ１０４に対する各種データの読み出し又は書き込みを制御するＳＳＤ（Solid State Drive）１０５を有する。また、フラッシュメモリ等の記録メディア１０６に対するデータの読み出し又は書き込み（記憶）を制御するメディアドライブ１０７、及び、伝送端末１０の宛先を選択する場合などに操作される操作ボタン１０８を有する。また、伝送端末１０の電源のＯＮ／ＯＦＦを切り換えるための電源スイッチ１０９、及び、第１通信ネットワークＮ１を利用してデータ伝送をするためのネットワークＩ／Ｆ（Interface）１１１を備えている。
【００３９】
また、伝送端末１０は、ＣＰＵ１０１の制御に従って被写体を撮像して画像データを得る内蔵型のカメラ１１２、このカメラ１１２の駆動を制御する撮像素子Ｉ／Ｆ１１３、及び、音声を入力する内蔵型のマイク１１４を有する。また、音声を出力する内蔵型のスピーカ１１５、及び、ＣＰＵ１０１の制御に従ってマイク１１４及びスピーカ１１５との間で音声信号の入出力を処理する音声入出力Ｉ／Ｆ１１６を有する。また、ＣＰＵ１０１の制御に従って外付けのディスプレイ１２０や電子黒板３０に画像データを伝送するディスプレイＩ／Ｆ１１７、各種の外部機器を接続するための外部機器接続Ｉ／Ｆ１１８、及び認証受付Ｉ／Ｆ１１９を有する。また、上記各構成要素を図３に示されているように電気的に接続するためのアドレスバスやデータバス等のバスライン１１０を備えている。
【００４０】
ディスプレイ１２０は、被写体の画像や操作用アイコン等を表示する液晶や有機ＥＬによって構成された表示部である。また、ディスプレイ１２０は、ケーブル１２０ｃによってディスプレイＩ／Ｆ１１７に接続される。伝送端末１０のディスプレイ１２０は、ケーブル１２０ｃによってディスプレイＩ／Ｆ１１７に接続されているが、これに限られず、ディスプレイ１２０は、伝送端末１０に内蔵されていてもよい。
【００４１】
外部機器接続Ｉ／Ｆ１１８には、ＵＳＢ（Universal Serial Bus）ケーブル等によって、外付けカメラ、外付けマイク、及び外付けスピーカ等の外部機器がそれぞれ接続可能である。
【００４２】
認証受付Ｉ／Ｆ１１９は、ユーザから認証情報の入力を受け付けるインタフェースであり、具体的には、ＩＣカードリーダや（例えばＮＦＣ（Near field communication））、ＳＤカードやＳＩＭカード等の読み取り器が該当する。
【００４３】
さらに、端末用プログラム１３０は、インストール可能な形式又は実行可能な形式のファイルで、上記記録メディア１０６等の、コンピュータで読み取り可能な記録媒体に記録して流通させるようにしてもよい。また、端末用プログラム１３０は、フラッシュメモリ１０４ではなくＲＯＭ１０２に記憶させるようにしてもよい。
【００４４】
携帯端末２０のハードウェア構成については伝送端末１０のハードウェア構成と重複している部分が多く、また、その相違があるとしても第１通信システムＳ１を構築する上で支障がないものとする。
【００４５】
＜＜伝送管理システム、中継装置、プログラム提供システム≫
次に、図４を用いて、伝送管理システム５０のハードウェア構成について説明する。図４は、本実施形態に係る伝送管理システム５０のハードウェア構成図の一例である。
【００４６】
なお、図示する伝送管理システム５０等のハードウェア構成は、１つの筐体に収納されていたりひとまとまりの装置として備えられていたりする必要はなく、伝送管理システム５０等が備えていることが好ましいハード的な要素を示す。また、クラウドコンピューティングに対応するため、本実施形態の伝送管理システム５０等の物理的な構成は固定的でなくてもよく、負荷に応じてハード的なリソースが動的に接続・切断されることで構成されてよい。
【００４７】
伝送管理システム５０は、伝送管理システム５０全体の動作を制御するＣＰＵ３０１、ＩＰＬ等のＣＰＵ３０１の駆動に用いられるプログラムを記憶したＲＯＭ３０２、及び、ＣＰＵ３０１のワークエリアとして使用されるＲＡＭ３０３を有する。また、伝送管理用プログラム３２０等の各種データを記憶するＨＤ３０４、及び、ＣＰＵ３０１の制御にしたがってＨＤ３０４に対する各種データの読み出し又は書き込みを制御するＨＤＤ(Hard Disk Drive)３０５を有する。また、フラッシュメモリ等の記録メディア３０６に対するデータの読み出し又は書き込み（記憶）を制御するメディアドライブ３０７、及び、カーソル、メニュー、ウィンドウ、文字、又は画像などの各種情報を表示するディスプレイ３０８を有する。また、第１通信ネットワークＮ１を利用してデータ伝送をするためのネットワークＩ／Ｆ３０９、文字、数値、各種指示などの入力のための複数のキーを備えたキーボード３１１、及び、各種指示の選択や実行、処理対象の選択、カーソルの移動などを行うマウス３１２を有する。また、着脱可能な記録媒体の一例としてのＣＤ−ＲＯＭ(Compact Disc Read Only Memory)３１３に対する各種データの読み出し又は書き込みを制御するＣＤ−ＲＯＭドライブ３１４を有する。また、上記各構成要素を図４に示されているように電気的に接続するためのアドレスバスやデータバス等のバスライン３１０を備えている。
【００４８】
なお、上記伝送管理用プログラム３２０は、インストール可能な形式又は実行可能な形式のファイルで、上記記録メディア３０６やＣＤ−ＲＯＭ３１３等のコンピュータで読み取り可能な記録媒体に記録して流通させるようにしてもよい。また、上記伝送管理用プログラム３２０は、ＨＤ３０４ではなくＲＯＭ３０２に記憶されるようにしてもよい。
【００４９】
また、中継装置４０及びプログラム提供システム９０は、上記の伝送管理システム５０と同様のハードウェア構成を有しているため、その説明を省略する。
【００５０】
＜第２通信システムＳ２の構成例＞
図５は、第２通信システムＳ２の全体構成図の一例である。なお、図５では、説明を簡略化するために、２台の電子黒板３０ａａ、３０ａｂ及びこれに付随する電子ペン４ａ，４ｂ等を示しているだけであって、３台以上の電子黒板３０や電子ペン等を利用してもよい。
【００５１】
第２通信システムＳ２は、複数の電子黒板３０ａａ、３０ａｂ、複数の電子ペン４ａ，４ｂ、ＵＳＢメモリ５ａ，５ｂ、ノートＰＣ(Personal Computer)６ａ，６ｂ、及び、伝送端末１０ａａ，１０ａｂを有する。また、電子黒板３０ａａ、３０ａｂは、第２通信ネットワークＮ２を介して通信可能に接続されている。更に、複数の電子黒板３０ａａ、３０ａｂには、それぞれディスプレイ３ａ，３ｂが設けられている。
【００５２】
また、電子黒板３０ａａには、電子ペン４ａによって生じたイベント（ディスプレイ３ａに電子ペン４ａのペン先、又は、電子ペン４ａのペン尻のタッチ）による描画された画像を、ディスプレイ３ａに表示させることができる。なお、電子ペン４ａだけでなく、ユーザの手Ｈ等によって生じたイベント（拡大、縮小、ページめくり等のジェスチャ）に基づいて、ディスプレイ３ａ上に表示されている画像を変更させることもできる。
【００５３】
また、電子黒板３０ａａには、ＵＳＢメモリ５ａが接続可能であり、電子黒板３０ａａはＵＳＢメモリ５ａからＰＤＦ等の電子ファイルを読み出したり、電子黒板３０ａａはＵＳＢメモリ５ａに電子ファイルを記録したりすることができる。また、電子黒板３０ａａには、Display Port、DVI(Digital Visual Interface)、HDMI（登録商標）(High-Definition Multimedia Interface)及びVGA(Video Graphics Array)等の規格による通信が可能なケーブル９ａ１を介して、ノートＰＣ６ａが接続されている。そして、電子黒板３０ａａでは、ディスプレイ３ａに対する接触によってイベントを発生させ、このイベントを示すイベント情報を、マウスやキーボード等の入力装置のイベントと同様に、ノートＰＣ６ａに送信する。同じく、電子黒板３０ａａには、上記規格による通信が可能なケーブル９ａ２を介して、伝送端末１０ａａが接続されている。なお、ノートＰＣ６ａ、及び伝送端末１０ａａは、Bluetooth（登録商標）等の各種無線通信プロトコルに準拠した無線通信により、電子黒板３０ａａと通信してもよい。
【００５４】
一方、電子黒板３０ａｂが設置されている他の拠点では、上記と同様に、ディスプレイ３ｂを備えた電子黒板３０ａｂ、電子ペン４ｂ、ＵＳＢメモリ５ｂ、ノートＰＣ６ｂ、伝送端末１０ａｂ、ケーブル９ｂ１、ケーブル９ｂ２が利用される。更に、ユーザの手Ｈｂ等によって生じたイベントに基づいて、ディスプレイ３ｂ上に表示されている画像を変更させることもできる。
【００５５】
これにより、一の拠点で電子黒板３０ａａのディスプレイ３ａ上に描画された画像は、他の拠点で電子黒板３０ａｂのディスプレイ３ｂ上にも表示される。逆に他の拠点で電子黒板３０ａｂのディスプレイ３ｂ上に描画された画像は、一の拠点で電子黒板３０ａａのディスプレイ３ａ上に表示される。
【００５６】
なお、以下では、複数の電子黒板のうち任意の電子黒板を示す場合には「電子黒板３０」と示す。ディスプレイ３、電子ペン４、ＵＳＢメモリ５、ノートＰＣ６、手Ｈ、ケーブル９についても同様である。
【００５７】
第２通信ネットワークＮ２は、いわゆるイントラネットが想定される。イントラネットとはファイアウォールなどで外部から隔離された社内用のネットワークであり、１つ以上のＬＡＮがルータなどを介して接続されている。社内用のネットワークであれば複数のＬＡＮが接続されたＷＡＮであってもよい。社内用のネットワークであるため、電子黒板３０ａａはＩＰアドレスがあれば電子黒板３０ａｂと通信できる。これに対し、電子黒板３０ａａが社外のネットワークに接続されていたり、電子黒板３０ａａが社内にあっても通信が一度、社外に出たりすると、サーバを経由するなどしないと電子黒板３０ａｂとは通信できない。
【００５８】
また、本実施形態の電子黒板３０は、電子黒板としての機能のみを有するものである必要はなく、スマートフォン、携帯電話機、カーナビゲーション端末、ウェアラブルコンピュータ、監視カメラ、ゲーム機器、又は通信機能を備えた産業用機器などでもよい。ウェアラブルコンピュータには、腕時計やヘッドマウントディスプレイ等が含まれる。また、産業用機器には、ＭＦＰ等のオフィス機器、内視鏡等の医療用機器、耕耘機等の産業用機器などが含まれる。
【００５９】
＜電子黒板のハードウェア構成＞
続いて、図６を用いて、電子黒板３０のハードウェア構成を説明する。図６は、電子黒板３０のハードウェア構成図の一例である。
【００６０】
電子黒板３０は、電子黒板３０全体の動作を制御するＣＰＵ２０１、ＩＰＬ等のＣＰＵ２０１の駆動に用いられるプログラムを記憶したＲＯＭ２０２、及び、ＣＰＵ２０１のワークエリアとして使用されるＲＡＭ２０３を有する。また、電子黒板用プログラム等の各種データを記憶するＳＳＤ２０４、第２通信ネットワークＮ２との通信を制御するネットワークコントローラ２０５、及び、ＵＳＢメモリ５との通信を制御する外部記憶コントローラ２０６を備えている。
【００６１】
また、電子黒板３０は、ノートＰＣ６がディスプレイに表示している静止画または動画を取り込むキャプチャデバイス２１１を有する。また、グラフィクスを専門に扱うＧＰＵ(Graphics Processing Unit)１１２、及び、ＧＰＵからの出力画像や伝送端末１０からの出力画像をディスプレイ３へ出力するために画面表示の制御及び管理を行うディスプレイコントローラ２１３を備えている。
【００６２】
更に、電子黒板３０は、接触センサ２１５の処理を制御するセンサコントローラ２１４、ディスプレイ３上に電子ペン４やユーザの手Ｈ等が接触したことを検知する接触センサ２１５を備えている。この接触センサ２１５は、赤外線遮断方式による座標の入力及び座標の検出を行う。接触センサ２１５としては、赤外線遮断方式に限らず、静電容量の変化を検知することにより接触位置を特定する静電容量方式のタッチパネルでもよい。また、対向する２つの抵抗膜の電圧変化によって接触位置を特定する抵抗膜方式のタッチパネル、接触物体が表示部に接触することによって生じる電磁誘導を検知して接触位置を特定する電磁誘導方式のタッチパネルなどの種々の検出手段を用いてもよい。
【００６３】
また、電子黒板３０は、電子ペンコントローラ２１６を備えている。この電子ペンコントローラ２１６は、電子ペン４と通信することで、ディスプレイ３へのペン先のタッチやペン尻のタッチの有無を判断する。
【００６４】
更に、電子黒板３０は、ＣＰＵ２０１、ＲＯＭ２０２、ＲＡＭ２０３、ＳＳＤ２０４、ネットワークコントローラ２０５、外部記憶コントローラ２０６、キャプチャデバイス２１１、ＧＰＵ２１２、及びセンサコントローラ２１４、及び、電子ペンコントローラ２１６を図６に示されているように電気的に接続するためのアドレスバスやデータバス等のバスライン２２０を備えている。
【００６５】
また、本実施形態では、伝送端末１０と電子黒板３０が有線又は無線で接続される。このような近距離の無線接続および有線接続について、通信する情報を悪意ある第三者が取得する（いわゆるネットワークにおける盗聴）の可能性について説明する。まず、直接接続の場合、物理的に接続された機器同士のみ情報を送受信するため、盗聴リスクはない。また、近距離な無線通信の場合、ユーザの目の届く範囲に盗聴者がいないことを確認できるので、盗聴リスクはかなり低く、比較的に安全に通信することが可能である。従って、同一拠点に存在する電子黒板３０と伝送端末１０の通信は、安全になされると判断してよい。
【００６６】
＜機能構成＞
次に、図７を用いて、伝送端末１０，伝送管理システム５０，及び、電子黒板３０の機能構成について説明する。図７は、第１通信システムＳ１及び第２通信システムＳ２に含まれる伝送端末１０，伝送管理システム５０，及び、電子黒板３０の機能ブロック図の一例である。
【００６７】
なお、中継装置４０及びプログラム提供システム９０は、本実施形態では直接関係ないため、図７では省略されている。また、携帯端末２０は伝送端末１０とほぼ同様の機能を備え、相違があるとしても本実施形態を実現する上で支障がないものとする。
【００６８】
＜＜伝送端末の各機能構成＞＞
伝送端末１０は、送受信部１１、画像出力部１２、第１接続機器通信部１３、機器情報送信部１４、表示制御部１５、撮像部１６、音声入力部１７ａ、音声出力部１７ｂ、宛先リスト作成部１８、操作入力受付部１９、ログイン要求部２１、及び、記憶・読出処理部２９を有している。
【００６９】
伝送端末１０が有する各部は、図３に示されている各構成要素のいずれかが、フラッシュメモリ１０４からＲＡＭ１０３上に展開された端末用プログラム１３０に従ったＣＰＵ１０１からの命令によって動作することで実現される機能、又は機能される手段である。
【００７０】
また、伝送端末１０は、図３に示されているフラッシュメモリ１０４によって構築される不揮発性記憶部１０００を有している。
【００７１】
伝送端末１０の送受信部１１は、図３に示されているＣＰＵ１０１からの命令、及び図３に示されているネットワークＩ／Ｆ１１１によって実現される。送受信部１１は第１通信ネットワークＮ１を介して他の伝送端末１０、伝送管理システム５０，及び中継装置４０等と各種データの送受信を行う。
【００７２】
画像出力部１２は、図３に示されているＣＰＵ１０１からの命令及びディスプレイＩ／Ｆ１１７や外部機器接続Ｉ／Ｆ１１８等によって実現され、ディスプレイ１２０に出力する画像を電子黒板３０に出力する。なお、ディスプレイ１２０と電子黒板３０はいずれか一方のみが接続されていてもよい。
【００７３】
第１接続機器通信部１３は、図３に示されているＣＰＵ１０１からの命令、ディスプレイＩ／Ｆ１１７、ネットワークＩ／Ｆ１１１及び外部機器接続Ｉ／Ｆ１１８等によって実現され、電子黒板３０を検出し電子黒板３０と通信する。通信方法は、イーサネット（登録商標）、ＨＤＭＩ（登録商標）ケーブルなどの有線接続でもよいし、Bluetooth（登録商標）や無線ＬＡＮなどの無線通信でもよいし、ＮＦＣ（登録商標）などの近距離無線通信でもよい。具体的には、後述する接続情報及びタイプ識別情報（種別情報）を電子黒板３０から受信する。ＨＤＭＩケーブルにて接続することにより、１つのケーブルで映像/音声の出力と、制御情報のやり取りを同時に行える。また、Bluetooth（登録商標）で接続すると、比較的、近距離に限って無線で通信できる。
【００７４】
機器情報送信部１４は、送受信部１１を用いて、第１接続機器通信部１３が受信した接続情報及びタイプ識別情報を、伝送管理システム５０を介してセッションを確立している他方の伝送端末１０に送信する。
【００７５】
表示制御部１５は、図３に示されているＣＰＵ１０１からの命令、及び図３に示されているディスプレイＩ／Ｆ１１７によって実現され、外付けのディスプレイ１２０に対して画像データを送信（出力）するための制御を行う。
【００７６】
撮像部１６は、図３に示されているＣＰＵ１０１からの命令、及びカメラ１１２及び撮像素子Ｉ／Ｆ１１３によって実現され、被写体を撮像して、この撮像して得た画像データを出力する。
【００７７】
音声入力部１７ａは、図３に示されているＣＰＵ１０１からの命令、及び音声入出力Ｉ／Ｆ１１６によって実現され、マイク１１４によってユーザの音声が音声信号に変換された後、この音声信号に係る音声データを入力する。
【００７８】
音声出力部１７ｂは、図３に示されているＣＰＵ１０１からの命令、及び音声入出力Ｉ／Ｆ１１６によって実現され、音声データに係る音声信号をスピーカ１１５に出力し、スピーカ１１５から音声を出力させる。
【００７９】
宛先リスト作成部１８は、図３に示されているＣＰＵ１０１からの命令によって実現され、伝送管理システム５０から受信した宛先状態情報（宛先候補端末及び宛先候補の伝送端末１０及び携帯端末２０の稼動状態）に基づいて、宛先リストの作成及び更新を行う。
【００８０】
操作入力受付部１９は、図３に示されているＣＰＵ１０１からの命令、操作ボタン１０８及び電源スイッチ１０９によって実現され、ユーザによる各種入力を受け付ける。例えば、ユーザが、図３に示されている電源スイッチ１０９をＯＮにすると、操作入力受付部１９が電源ＯＮを受け付けて電源をＯＮにする。
【００８１】
ログイン要求部２１は、図３に示されているＣＰＵ１０１からの命令によって実現される。電源ＯＮの受け付けを契機として（又はユーザの認証操作を契機として）、送受信部１１から第１通信ネットワークＮ１を介して伝送管理システム５０に、ログインを要求する旨を示すログイン要求情報、及び要求元端末の現時点のＩＰアドレスを自動的に送信する。
【００８２】
記憶・読出処理部２９は、図３に示されているＣＰＵ１０１からの命令、及び図３に示すＳＳＤ１０５によって実現され、不揮発性記憶部１０００に各種データを記憶したり、不揮発性記憶部１０００に記憶された各種データを読み出したりする処理を行う。この不揮発性記憶部１０００には、通信先としての伝送端末１０の端末又はユーザを識別するための通信ＩＤ（Identification）、タイプ識別情報、及びパスワード等が記憶される。なお、通信ＩＤ及びパスワードは不揮発性記憶部１０００に記憶されていなくてもよく、例えば伝送管理システム５０に対してログイン要求を行う際に都度、ユーザが入力するようにしてもよい。
【００８３】
なお、本実施形態の通信ＩＤは、それぞれ伝送端末若しくはこの伝送端末を利用するユーザを一意に識別するために使われる言語、文字、記号、又は各種のしるし等の識別情報を示す。また、通信ＩＤ及び中継装置ＩＤは、上記言語、文字、記号、及び各種のしるしのうち、少なくとも２つが組み合わされた識別情報であってもよい。
【００８４】
＜＜伝送管理システムの機能構成＞＞
伝送管理システム５０は、送受信部５１、認証部５２、セッション管理部５３、及び、記憶・読出処理部５９を有している。これら各部は、図４に示されている各構成要素のいずれかが、ＨＤ３０４からＲＡＭ３０３上に展開された伝送管理用プログラム３２０に従ったＣＰＵ３０１からの命令によって動作することで実現される機能又は機能される手段である。また、伝送管理システム５０は、伝送管理システム５０の電源をＯＦＦにしても各種データ（または情報）の記憶が維持される不揮発性記憶部５０００を有しており、この不揮発性記憶部５０００は図４に示されているＨＤ３０４により構築されている。
【００８５】
【表１】
0006531436.tif 000002
不揮発性記憶部５０００には、表１に示されているようなセッション管理テーブルによって構成されているセッション管理ＤＢ５００１が構築されている。このセッション管理テーブルでは、中継装置４０を選択するためのセッションの実行に用いられるセッションＩＤ毎に、データの中継に使用される中継装置４０の中継装置ＩＤ、要求元端末の通信ＩＤ及び宛先端末の通信ＩＤが関連付けられて管理される。
【００８６】
【表２】
0006531436.tif 000003
不揮発性記憶部５０００には、表２に示されているような宛先情報を管理する宛先リスト管理テーブルによって構成されている宛先リスト管理ＤＢ５００２が構築されている。宛先リスト管理テーブルでは、テレビ会議における接続の開始（発呼）を要求する要求元端末の通信ＩＤに対して、全ての宛先候補の伝送端末１０又は携帯端末２０の通信ＩＤが関連付けられて管理される。この宛先候補の通信ＩＤは、要求元端末が通信を開始できる伝送端末１０又は携帯端末２０である。
【００８７】
【表３】
0006531436.tif 000004
不揮発性記憶部５０００には、表３に示されているような端末管理テーブルによって構成されている端末管理ＤＢ５００３が構築されている。この端末管理テーブルでは、伝送端末１０の通信ＩＤ毎に、各伝送端末の稼動状態、各通信ＩＤを宛先とした場合の名称、端末のＩＰアドレス、が関連付けられて管理される。
【００８８】
【表４】
0006531436.tif 000005
不揮発性記憶部５０００には、表４に示されているような認証管理テーブルによって構成されている認証管理ＤＢ５００４が構築されている。この認証管理テーブルでは、伝送端末１０又はユーザの通信ＩＤ毎に、各伝送端末１０又はユーザのパスワードが関連付けられて管理される。なお、説明の便宜上、表４では平文のパスワードが示されているが、認証管理テーブルのパスワードは暗号化されて管理されていてもよい。
【００８９】
＜＜伝送管理システムの各機能構成＞＞
次に、伝送管理システム５０の各機能構成について詳細に説明する。送受信部５１は、図４に示されているＣＰＵ３０１からの命令、及び図４に示されているネットワークＩ／Ｆ３０９によって実現され、第１通信ネットワークＮ１を介して伝送端末１０や中継装置４０と各種データ（または情報）の送受信を行う。
【００９０】
認証部５２は、図４に示されているＣＰＵ３０１からの命令等によって実現される。認証部５２は、送受信部５１を介して受信されたログイン要求情報に含まれている通信ＩＤ及びパスワードの組み合わせが認証管理ＤＢ５００４に登録されているものと一致するか否かに応じて伝送端末１０又はユーザを認証する。なお、認証方法はこれに限られず、クライアント証明書（公開鍵と秘密鍵を用いた認証方法）を用いてもよい。
【００９１】
セッション管理部５３は、図４に示されているＣＰＵ３０１からの命令によって実現される。セッション管理部５３は、認証部５２により認証が成立した伝送端末１０から宛先端末との接続要求を取得する。そして、セッション管理ＤＢ５００１に、コンテンツデータを中継する中継装置４０の中継装置ＩＤと、セッションＩＤ、要求元端末の通信ＩＤ、及び宛先端末の通信ＩＤを関連付けて記憶して管理する。
【００９２】
記憶・読出処理部５９は、図４に示されているＣＰＵ３０１からの命令、及び図４に示されているＨＤＤ３０５によって実現され、不揮発性記憶部５０００に各種データを記憶したり、不揮発性記憶部５０００に記憶された各種データを読み出したりする処理を行う。
【００９３】
＜＜電子黒板の機能構成＞＞
電子黒板３０は、サーバ機３１ａ、及び、クライアント機３１ｂを有し、クライアント機３１ｂはさらに映像取得部３２、クライアント通信制御部３８、画像処理部３３、座標検知部３４、映像重畳部３５、第２接続機器通信部３６、及び、記憶・読出処理部３９を有している。これら各部は、図６に示されている各構成要素のいずれかが、ＳＳＤ２０４からＲＡＭ２０３上に展開された電子黒板用プログラム２３０に従ったＣＰＵ２０１からの命令によって動作することで実現される機能又は機能される手段である。
【００９４】
また、電子黒板３０は、電子黒板３０の電源をＯＦＦにしても各種データ（または情報）の記憶が維持される不揮発性記憶部７０００を有しており、この不揮発性記憶部７０００は図６に示されているＳＳＤ２０４などにより構築されている
【００９５】
【表５】
0006531436.tif 000006
不揮発性記憶部７０００には、表５に示されているようなタイプ識別情報が記憶されているタイプ別識別情報記憶部７００１が構築されている。タイプ識別情報は、端末種別を示す情報であり、電子黒板３０の場合は電子黒板という機器であることを示す識別情報をいう。電子黒板３０の場合、例えば「interactive whiteboard」がタイプ識別情報である。この他、機器がプロジェクタであればタイプ識別情報は例えば「projector」となり、伝送端末であれば例えば「video conference」となる。
【００９６】
なお、機器はこれらに限られず、電子看板（デジタルサイネージ）、スポーツや天気予報等で利用されるテレストレータ、又は、遠隔画像（映像）診断装置等であってもよい。
【００９７】
【表６】
0006531436.tif 000007
不揮発性記憶部７０００には、表６に示されているような接続情報が記憶されている接続情報記憶部７００２が構築されている。接続情報は、電子黒板３０の例えばＩＰアドレス及びパスコードである。接続情報は他の拠点の電子黒板３０ａｂが電子黒板３０ａａから認証を受け接続する（通信を開始する）ための情報である。なお、接続情報には、ＳＳＩＤと暗号キーなど他の情報が含まれていてもよい。また、パスコードはワンタイムパスワードとして認証の都度、作成されてもよい。
【００９８】
＜＜電子黒板の各機能構成＞＞
次に、電子黒板３０の各機能構成について詳細に説明する。電子黒板３０による第２通信システムＳ２では会議の主催装置となる電子黒板３０ａａと参加装置となる電子黒板３０ａｂがある。このうち、主催装置ではサーバ機３１ａとクライアント機３１ｂが機能し、参加装置ではクライアント機３１ｂのみが機能する。サーバ機３１ａは、図６に示されているＣＰＵ２０１からの命令、及びネットワークコントローラ２０５等によって実現され、参加装置の電子黒板３０及び自機のクライアント機３１ｂに対しサーバとしての機能を提供する。図５において電子黒板３０ａａが主催装置で、電子黒板３０ａｂが参加装置となる場合、電子黒板３０ａａのクライアント機３１ｂは、同じ電子黒板３０ａａに実現されたサーバ機３１ａを介して、他の電子黒板３０ａｂのクライアント機３１ｂと通信を行う。一方、電子黒板３０ａｂのクライアント機３１ｂは、電子黒板３０ａａに実現されたサーバ機３１ａを介して、電子黒板３０ａａのクライアント機３１ｂと通信を行う。
【００９９】
クライアント機３１ｂの映像取得部３２は、図６に示されているＣＰＵ２０１からの命令、及びキャプチャデバイス２１１等によって実現され、ケーブル９に接続されたノートＰＣ６等の映像出力機器の出力映像を取得する。以下、取得された画像を「背景画像」という。
【０１００】
座標検知部３４は、図６に示されているＣＰＵ２０１からの命令、及び接触センサ２１５等によって実現され、ディスプレイ３上でユーザによって生じたイベント（ディスプレイ３上に電子ペン４やユーザの手Ｈがタッチされた動作等）の座標位置を検出する。電子ペン４や手Ｈで描画された一連の座標（ペン先がタッチしてから離れるまで）をストロークという。また、座標検知部３４はディスプレイ３に表示されるＵＩ（各種のメニュー）に対する操作を取得する。以下、一連の座標が接続されてストロークが描画された画像を「ストローク画像」という。
【０１０１】
画像処理部３３は、図６に示されているＣＰＵ２０１からの命令、ＧＰＵ２１２及びディスプレイコントローラ２１３等によって実現される。そして、ストローク画像や映像取得部３２が取得した背景画像、及びメニューなどが描画されたＵＩ画像を各画像レイヤとしてそれらを重畳する重畳処理等を行う。
【０１０２】
映像重畳部３５は、図６に示されているＣＰＵ２０１からの命令、ＧＰＵ２１２及びディスプレイコントローラ２１３等によって実現され、画像処理部３３が重畳した画像を映像としてディスプレイ３に対して表示する。また、映像重畳部３５は、伝送端末１０等から送られて来た映像を背景画像にピクチャ・イン・ピクチャする。
【０１０３】
第２接続機器通信部３６は、図６に示されているＣＰＵ２０１からの命令、外部記憶コントローラ２０６、ディスプレイコントローラ２１３及びネットワークコントローラ２０５等によって実現され、伝送端末１０の検出を行い、伝送端末１０と通信する。具体的には、接続情報及びタイプ識別情報を伝送端末１０に送信する。
【０１０４】
クライアント通信制御部３８は図６に示されているＣＰＵ２０１からの命令及びネットワークコントローラ２０５等によって実現され、サーバ通信制御部３７に各種のデータを送信し、また、サーバ通信制御部３７から各種のデータを受信する。具体的には、映像取得部３２がノートＰＣ６から取得した背景画像、座標検知部３４が取得したストローク画像、及び、ＵＩに対する操作内容などを送信しまた受信する。なお、通信相手となるサーバ通信制御部３７は、同じ筐体の電子黒板３０の場合とそうでない場合がある。
【０１０５】
記憶・読出処理部３９は、図６に示されているＣＰＵ２０１からの命令、及び図６に示されているＳＳＤ２０４等によって実現され、不揮発性記憶部７０００に各種データを記憶したり、不揮発性記憶部７０００に記憶された各種データを読み出したりする処理を行う。
【０１０６】
＜伝送端末１０の通信処理＞
まず、図８を用いて第１通信システムＳ１において伝送端末１０ａａと１０ａｂがセッションを確立する手順を説明する。図８は、伝送端末１０ａａと１０ａｂがセッションを確立する手順を示すシーケンス図の一例である。
S1：ユーザが電源スイッチ１０９をＯＮにすると、操作入力受付部１９が電源ＯＮを受け付けて、電源をＯＮにする。
S2：ログイン要求部２１は上記電源ＯＮを契機とし、送受信部１１から第１通信ネットワークＮ１を介して伝送管理システム５０にログイン要求を示すログイン要求情報を自動的に送信する。ログイン要求は電源ＯＮ時だけでなくユーザ操作によって任意のタイミングで送信されることができる。ログイン要求情報には、要求元である伝送端末１０ａａを識別するための通信ＩＤ、及びパスワードが含まれている。なお、伝送端末１０ａａから伝送管理システム５０へログイン要求情報が送信される際、受信側である伝送管理システム５０は、伝送端末１０ａａのＩＰアドレスを把握することができる。
S3：伝送管理システム５０の認証部５２は、送受信部５１を介して受信したログイン要求情報に含まれている通信ＩＤ及びパスワードと同一の通信ＩＤ及びパスワードが認証管理テーブルで管理されているかを判断することによって端末認証を行う。
S4：認証部５２によって伝送端末１０ａａの認証が成立した場合、セッション管理部５３は宛先管理テーブルから伝送端末１０ａａが宛先候補とする宛先端末の通信ＩＤを読み出し、宛先端末の稼動状態を端末管理テーブルから読み出す。本処理では宛先端末である伝送端末１０ａｂはオンラインであるとする。
S5：次に、送受信部５１は、宛先候補の各伝送端末の通信ＩＤと稼動状態とが含まれた宛先状態情報を、第１通信ネットワークＮ１を介して伝送端末１０ａａに送信する。宛先状態情報には、端末管理テーブルに登録されている名称が含まれる。これにより、伝送端末１０ａａは、伝送端末１０ａａと通信することができる宛先リストの伝送端末１０ａｂの現時点のそれぞれの稼動状態を把握することができる。
S6：なお、送受信部５１はログイン要求してきた伝送端末１０ａａの通信ＩＤとその稼動状態を、伝送端末１０ａａを宛先リストに含める伝送端末（ここでは伝送端末１０ａｂ）に送信する。これにより、宛先リストに登録されている宛先候補の伝送端末１０が互いに相手の稼動状態を把握できる。
S7：伝送端末１０ａａの宛先リスト作成部１８は、宛先状態情報を受け取ると、宛先リストを作成し、ディスプレイ１２０に表示させる。伝送端末１０ａａのユーザは宛先リスト画面から通信の開始を要求する通信ＩＤを選択することができる。本実施形態では伝送端末１０ａｂが選択されたものとする。
S8：ユーザが宛先を選択して通信の開始を要求すると、伝送端末１０ａａの送受信部１１は、開始要求情報を伝送管理システム５０へ送信する。開始要求情報には要求元端末ＩＤと宛先端末ＩＤが含まれる。また、これにより、伝送管理システム５０の送受信部５１は要求元端末１０ａａのＩＰアドレスを把握することになる。
S9：伝送管理システム５０のセッション管理部５３は、端末管理テーブルとセッションテーブルを更新する。具体的には、中継装置４０を選択してセッション管理テーブルに新しいレコードを登録する。また、端末管理テーブルの伝送端末１０ａａと１０ａｂに対応づけて、稼動状態を「通信中」に設定する。
S10：送受信部５１は選択した中継装置４０に中継開始を要求する。これにより、中継装置４０は、伝送端末１０ａａと１０ａｂのＩＰアドレスを把握して、画像データと音声データを通信するためのセッションを確立する。したがって、伝送端末１０ａａと１０ａｂはテレビ会議を開始することができる。  
＜電子黒板の通信処理＞
まず、図９を用いて第２通信システムＳ２において電子黒板３０ａａと３０ａｂがセッションを確立する手順を説明する。図９は、電子黒板３０ａａと３０ａｂが会議を開始する手順を示すシーケンス図の一例である。
S1：ユーザが電子黒板３０ａａの電源スイッチをオンにすると、電子黒板３０ａａのクライアント機３１ｂが起動する。そして、ユーザがタッチパネル等の入力装置によってサーバ機３１ａを起動させる操作をすると、電子黒板３０ａａのサーバ機３１ａが起動する。
S2：次に、電子黒板３０ａａの映像重畳部３５が接続情報記憶部７００２から接続情報を読み出し、ディスプレイ３ａに表示させる。この接続情報には、主催装置である電子黒板３０ａａのＩＰアドレスとパスコードが含まれている。この接続情報は、従来であれば、電子黒板３０ａａのユーザによって、電話や電子メールにより、電子黒板３０ａｂのユーザＢに伝えられる。
S3：次に、電子黒板３０ａａの第２接続機器通信部３６は接続情報とタイプ識別情報を伝送端末１０に送信する処理を行う。この処理については図１０にて後述する。また、電子黒板３０ａａに伝送端末１０が接続されている場合、ステップＳ２で電子黒板３０ａａが接続情報を表示しなくてもよい。
S4：次に、従来であれば、電子黒板３０ａｂは、ユーザによるタッチパネル等の入力装置の操作によって接続情報の入力を受け付ける。また、本実施形態であれば、伝送端末１０ａｂから電子黒板３０ａｂに接続情報が送信される。電子黒板３０ａｂのクライアント通信制御部３８は接続情報に含まれるＩＰアドレスに基づき、電子黒板３０ａａのサーバ機３１ａに対しパスコードを送信して参加要求を行う。
S5：電子黒板３０ａａのサーバ機３１ａは電子黒板３０ａｂを認証する。すなわち、参加要求に含まれるパスコードが、電子黒板３０ａａがステップＳ２でディスプレイ３ａに表示した接続情報のパスコードと一致するか否かを判定する。
S6：認証が成立した場合、電子黒板３０ａａのサーバ機３１ａは参加要求に対し参加ＯＫを返す。
S7：これにより、主催装置である電子黒板３０ａａと、参加装置である電子黒板３０ａｂとの遠隔共有処理の通信が確立される。電子黒板３０ａｂのクライアント機３１ｂは電子黒板３０ａａとの間の遠隔共有処理の開始を可能にする（この処理を共有フラグを有効にすると称する）。
S8：電子黒板３０ａｂは、一例として、ディスプレイ３ｂにノートＰＣ６ｂから取得した背景画像を表示する。
S9：電子黒板３０ａｂのクライアント機３１ｂは背景画像を電子黒板３０ａａのサーバ機３１ａに送信する。
S10：電子黒板３０ａａのサーバ機３１ａは背景画像を自機のクライアント機３１ｂに送出することで、電子黒板３０ａａの画像処理部３３と映像重畳部３５がディスプレイ３ａに背景画像を表示する。
【０１０７】
＜第１通信システムＳ１を利用した電子黒板３０の認証処理＞
続いて、図１０を用いて、電子黒板３０ａｂが第１通信システムＳ１を利用して電子黒板３０ａａから認証を受ける手順を説明する。図１０は、電子黒板３０ａｂが第１通信システムＳ１を利用して電子黒板３０ａａから認証を受ける手順を示すシーケンス図の一例である。
【０１０８】
まず、前提として、ユーザＡは伝送端末１０ａａと電子黒板３０ａａが有線又は無線で通信できる状態にする。すなわち、伝送端末１０ａａと電子黒板３０ａａがそれぞれ電源ＯＮされ、電源ＯＮの前又は後に伝送端末１０ａａと電子黒板３０ａａが有線又は無線で接続される。伝送端末１０ａｂと電子黒板３０ａｂについても同様である。
【０１０９】
S1：伝送端末１０ａａの第１接続機器通信部１３は電子黒板３０ａａを検出し（検出した時点で電子黒板３０であることが分からなくてもよい）、電子黒板３０ａａの第２接続機器通信部３６は伝送端末１０を検出する。電子黒板３０ａａの第２接続機器通信部３６は接続されている機器を検出すると自動的に（そのためのユーザ操作がなくても）接続情報とタイプ識別情報を伝送端末１０ａａの第１接続機器通信部１３に通知する。
S2：伝送端末１０ａａの第１接続機器通信部１３は接続情報とタイプ識別情報を機器情報送信部１４に通知する。
S3：同様に、電子黒板３０ａｂの第２接続機器通信部３６は接続されている機器を検出すると自動的に（そのためのユーザ操作がなくても）接続情報とタイプ識別情報を伝送端末１０ａｂの第１接続機器通信部１３に通知する。
S4：伝送端末１０ａｂの第１接続機器通信部１３は接続情報とタイプ識別情報を機器情報送信部１４に通知する。
S5：ここで、伝送端末１０ａａと伝送端末１０ａｂは図８にて説明した手順で伝送管理システム５０へのログイン（認証）及びセッションを確立する。接続情報とタイプ識別情報の通知は、セッション確立の後で行われてもよい。
S6：伝送端末１０ａａの機器情報送信部１４は、伝送端末１０ａｂとのセッションが確立していることを利用して、接続情報とタイプ識別情報を伝送端末１０ａｂに送信する。送信時には、伝送管理システム５０又は中継装置４０を介して送信するが、伝送端末１０ａｂが同じネットワーク（例えば社内ＬＡＮ）に接続されている場合などには伝送端末１０ａｂに直接、送信してもよい。
S7：伝送端末１０ａｂの機器情報送信部１４は接続情報とタイプ識別情報を第１接続機器通信部１３に送出する。
S8：伝送端末１０ａｂの第１接続機器通信部１３はタイプ識別情報と、ステップＳ３で電子黒板３０ａｂから取得したタイプ識別情報を比較する。すなわち、電子黒板３０のタイプ識別情報は「interactive whiteboard」なので、「interactive whiteboard」というタイプ識別情報を伝送端末１０ａａから受信できたかどうかを判断する。これは、伝送端末１０ａａが別の機器（例えば、プロジェクタ）と接続されている場合にも、伝送端末１０ａａは伝送端末１０ａｂに接続情報とタイプ識別情報を送信することがあるためである。この場合、電子黒板３０ａｂはプロジェクタと通信を行う必要性は低いため、タイプ識別情報を確認することで不要な通信を抑制できる。
S9：比較した結果、タイプ識別情報が同じ場合、伝送端末１０ａｂの第１接続機器通信部１３は接続情報とタイプ識別情報を電子黒板３０ａｂに送信する。これにより、電子黒板３０ａｂは、従来、電話や電子メールで取得していた電子黒板３０ａａの接続情報とタイプ識別情報を取得できたことになる。なお、ステップＳ８の判断をこの段階で電子黒板３０ａａが行ってもよい。また、電子黒板３０ａｂが判断する場合、電子黒板３０ａｂが通信してもよい機器のリスト（タイプ識別情報のリスト）を予め有しておき、該リストに登録された機器であれば通信してもよい。
S10：タイプ識別情報を確認したら、電子黒板３０ａｂの第２接続機器通信部３６はクライアント通信制御部３８に接続情報とタイプ識別情報を送出する。
S11：クライアント通信制御部３８は図９にて説明したように、接続情報のＩＰアドレスを宛先に電子黒板３０ａａと通信しパスコードを送信することで参加要求することができる。
【０１１０】
この後、電子黒板３０ａａは電子黒板３０ａｂを認証するので、伝送端末１０ａｂと電子黒板３０ａｂのユーザＢは伝送端末１０ａｂで伝送管理システム５０にログイン（認証）するという１回の認証操作で電子黒板３０ａｂを利用できるようになる。したがって、ネットワークを介した機器同士の通信の際にユーザ負担を低減することができる。
【０１１１】
なお、本実施例では、伝送端末１０は電子黒板３０とだけ接続されているが、伝送端末１０は電子黒板３０の他、プロジェクタなど２つ以上の機器と接続されていてもよい。
【０１１２】
また、図１０では、伝送端末１０ａａが伝送端末１０ａｂに接続情報とタイプ識別情報を送信している。ここで図１０からは明らかでないが、伝送端末１０ａｂも伝送端末１０ａａに接続情報とタイプ識別情報を送信することができる。伝送端末１０ａａは電子黒板３０ａａに接続情報とタイプ識別情報を送信する。しかし、サーバ機３１ａが起動している電子黒板３０ａａは電子黒板３０ａｂに参加要求しないので、電子黒板３０ａａと３０ａｂが双方向に参加要求するような不都合は生じない。あるいは、ステップＳ３において、サーバ機３１ａが起動しない電子黒板３０ａｂの第２接続機器通信部３６は、転送不要を示す情報と共に接続情報とタイプ別識別情報を伝送端末１０ａｂに送信してもよい。
【０１１３】
また、電子黒板３０ａａがパスコードにより電子黒板３０ａｂを認証しない場合には、電子黒板３０ａａは接続情報のうちパスコードを送信しなくてもよい。電子黒板３０ａａと電子黒板３０ａｂはどちらも社内に接続されていることが前提となっているため、少なくとも社外から接続されることはないためである。
【０１１４】
また、図１１（ａ）に示すように、電子黒板３０ａａは接続情報を送信する前にその旨をディスプレイ３ａに表示してもよい。図１１（ａ）は電子黒板３０ａａのディスプレイ３ａに表示されるメッセージの一例を示す。図１０の例えばステップＳ１の前に、電子黒板３０ａａは「接続情報とタイプ識別情報を送信してよいですか？」というメッセージ５０１を表示する。ユーザＡがＯＫボタン５０２を押下すると、電子黒板３０ａａは接続情報とタイプ識別情報を伝送端末１０ａａに送信する。ユーザＡがキャンセルボタン５０３を押下すると、電子黒板３０ａａは接続情報とタイプ識別情報を伝送端末１０ａａに送信しない。このような処理により、電子黒板３０ａａから接続情報とタイプ識別情報がユーザＡの知らないうちに筐体の外に送信されることを防止できる。
【０１１５】
なお、図１１（ａ）に示すように、同様のメッセージを伝送端末１０ａａが表示してもよい。このメッセージは図１０の例えばステップＳ６の前に表示される。このような処理により、接続情報とタイプ識別情報がユーザＡの知らないうちに別の拠点に送信されることを防止できる。なお、図１にて説明したように、ディスプレイ１２０の内容は電子黒板３０のディスプレイ３にも表示可能なので、ディスプレイ３の領域Ｄａにメッセージを表示してもよい。
【０１１６】
また、図１１（ｂ）に示すように、電子黒板３０ａｂは参加要求を送信する前にその旨をディスプレイ３ｂに表示してもよい。図１０の例えばステップＳ１０の前に、電子黒板３０ａｂは「接続情報とタイプ識別情報を受信しました。参加要求しますか？」というメッセージ５１１を表示する。ユーザＡがＯＫボタン５１２を押下すると、伝送端末１０ａｂは参加要求し、ユーザＡがキャンセルボタン５１３を押下すると、伝送端末１０ａｂは参加要求しない。このような処理により、ユーザＢが確認した後に電子黒板３０ａｂは会議に参加できる。例えば、伝送端末１０ａｂと電子黒板３０ａｂが電源ＯＮのままユーザＢが不在になったときに自動的に会議が始まることを防止できる。
【０１１７】
＜好適な変形例＞
相手の拠点に自拠点の機器が通信できる機器が存在しない場合について説明する。例えば、伝送端末１０ａａには電子黒板３０ａａが接続されているが、伝送端末１０ａｂには電子黒板３０ａｂが接続されていない場合である。
【０１１８】
図１２は、電子黒板３０ａｂが第１通信システムＳ１を利用して電子黒板３０ａａから認証を受ける手順を示すシーケンス図の一例である。なお、図１２の説明では主に図１０との相違点について説明する。図１２では、伝送端末１０ａｂに機器が接続されていない。
S1〜S5：伝送端末１０ａａは接続情報とタイプ識別情報を伝送端末１０ａｂに送信し、また、伝送端末１０ａｂとセッションを確立する。
S6,7：伝送端末１０ａａは接続情報とタイプ識別情報を伝送端末１０ａｂに送信する。
S8：伝送端末１０ａｂの第１接続機器通信部１３は、図１０のステップＳ３，４と異なり機器が接続されていないと判断する。何らかの機器が接続されている場合は、伝送端末１０ａａから送信されたタイプ識別情報を自機が通信できる機器であるか否かを判断する。
S9：通信できる機器が接続されていないことを検出した場合、伝送端末１０ａｂの第１接続機器通信部１３は電子黒板３０ａｂが接続されていないことを機器情報送信部１４に送出する。
S10：伝送端末１０ａｂの機器情報送信部１４は電子黒板３０ａｂが接続されていないことを伝送端末１０ａａに通知する。
S11：伝送端末１０ａａの機器情報送信部１４は表示制御部１５に電子黒板３０ａｂが接続されていないことを通知する。
S12：これにより、伝送端末１０ａａの表示制御部１５はディスプレイ１２０ａａ（表示装置）に伝送端末１０ａｂに電子黒板３０ａｂが接続されていない旨のメッセージ等を表示できる。また、伝送端末１０ａａは電子黒板３０ａｂが接続されていない旨を電子黒板３０ａａに通知してもよい。
【０１１９】
図１３は、伝送端末１０ａａに接続されたディスプレイ１２０，及び電子黒板３０ａａのディスプレイ３ａに表示されたメッセージの一例を示す図である。図１３では、伝送端末１０ａａに接続されたディスプレイ１２０ａａ及び電子黒板３０ａａのディスプレイ３ａに「相手の拠点には電子黒板がありません」というメッセージ６０１が表示されている。したがって、ユーザＡは電子黒板３０を用いた会議ができないことを把握できる。
【０１２０】
<<電子黒板３０の周囲に複数の伝送端末が存在する場合>>
また、図１４に示すように、電子黒板３０ａａの周囲に複数の伝送端末１０ａａ１と１０ａａ２が存在している場合も生じうる。図１４は電子黒板３０ａａの周囲に複数の伝送端末１０ａａ１と１０ａａ２が存在している場合の伝送端末１０の選択を説明する図の一例である。この場合、電子黒板３０ａａは接続情報とタイプ識別情報を伝送端末１０ａａ１と０ａａ２にそれぞれ送信できるが、接続情報とタイプ識別情報を送信するのは第１通信システムＳ１で用いられる伝送端末１０のみでよい。
【０１２１】
このような場合を想定し、ステップＳ１やＳ２の前に、伝送端末１０ａａ１と１０ａａ２は通信ＩＤを電子黒板３０ａａに送信して、電子黒板３０ａａが２つの通信ＩＤを表示することが好適である。例えば、伝送端末１０ａａ１の通信ＩＤを「０１ａａ１」、伝送端末１０ａａ２の通信ＩＤを「０１ａａ２」とする。
（１）伝送端末１０ａａ１と伝送端末１０ａａ２はそれぞれの通信ＩＤを電子黒板３０ａａに送信する。
（２）電子黒板３０ａａは２つの通信ＩＤをディスプレイ３ａに表示する。ユーザＡは所望の伝送端末１０ａａを選択できる。
（３）電子黒板３０ａａは選択結果をユーザが選択した伝送端末１０ａａに通知する。
【０１２２】
したがって、通知された伝送端末１０ａａのみが伝送端末１０ａｂに接続情報とタイプ識別情報を送信する。このような仕組みがあれば、無線により複数の伝送端末１０と電子黒板３０が通信する場合に、ユーザは使用する伝送端末１０を選択できる。たとえば、伝送端末１０と共に携帯端末２０が電子黒板３０の周囲にある場合にも有効である。
【実施例２】
【０１２３】
本実施例では、伝送端末１０だけでなく電子黒板３０も社外のネットワークを介して通信する第１通信システムＳ１と第２通信システムＳ２について説明する。電子黒板３０が社外のネットワークを介して認証されるのであれば、電子黒板３０ａａが電子黒板３０ａｂを認証したことを利用して伝送端末１０ａｂが伝送端末１０ａａの認証を受けることも可能になる。よって、伝送端末１０が電源ＯＮで通信ＩＤとパスワードを送信するのでなく、ユーザが入力するような場合に有効である。
【０１２４】
本実施例では、電子黒板３０が社外のネットワークを介して通信できるため、図６において第２通信ネットワークＮ２が社外のネットワーク（例えばインターネット）を含み、電子黒板３０ａａと電子黒板３０ａｂが何らかのサーバを経由して通信する。
【０１２５】
図１５は、本実施例において第１通信システムＳ１及び第２通信システムＳ２が含まれる伝送端末１０，伝送管理システム５０，及び、電子黒板３０の機能ブロック図の一例である。
【０１２６】
なお、本明細書において、同一の符号を付した構成要素については、同様の機能を果たすので、一度説明した構成要素の説明を省略あるいは相違点についてのみ説明する場合がある。
【０１２７】
本実施例では、伝送管理システム５０が伝送端末１０だけでなく電子黒板３０を認証する。認証の仕組みは実施例１における伝送端末１０の仕組みと同じであるものとするが、認証方法はどのようなものでもよい。すなわち、電子黒板３０も通信ＩＤなど、一意に識別するためのＩＤを有している。なお、認証された電子黒板３０ａａと電子黒板３０ａｂは伝送端末１０と同様に中継装置４０が背景画像やストロークを中継してもよいし、サーバ機３１ａが中継してもよい。
【０１２８】
【表７】
0006531436.tif 000008
本実施例では、不揮発性記憶部５０００には、表７に示されているようなプレゼンス管理テーブルによって構成されているプレゼンス管理ＤＢ５００５が構築されている。このプレゼンス管理テーブルでは、拠点を識別する識別ＩＤに対応づけてタイプ識別情報が登録されている。拠点ＩＤは、各拠点に伝送端末１０が存在するという前提では例えば通信ＩＤでよいが、その他、拠点を識別できるものであればよい。タイプ識別情報は拠点に存在する機器を示す。
【０１２９】
また、伝送端末１０は認証機器決定部５４を有している。認証機器決定部５４は、図４に示されているＣＰＵ３０１からの命令等によって実現され、各拠点に対し認証を行う機器を決定し、拠点に対し認証を行う機器を通知する。認証機器決定部５４は例えば、以下のように、認証を行う機器の優先順位を予め保持している。
【０１３０】
１．video conference（ビデオ会議端末）
２．interactive whiteboard（電子黒板）
３．projector（プロジェクタ）
４．smart phone（携帯端末）
認証機器決定部５４は各拠点に存在する共通の機器のうち、認証を行う機器を最も優先度が高いものに決定する。表７の例では、video conferenceが認証を行う機器となる（実施例１と同様）。
【０１３１】
したがって、外部のネットワークを介して接続できる機器が拠点に複数存在するが、存在する機器が同じとは限らない場合でも認証する機器を決定できる。例えば、一方の拠点に、video conference、interactive whiteboard、projectorがあるが、他方の拠点にvideo conferenceがなくinteractive whiteboard とprojectorのみがある場合、電子黒板３０が認証する機器に決定されるので、電子黒板３０ａａと電子黒板３０ａｂが認証し、該認証結果を利用してprojector同士が認証できる。
【０１３２】
また、伝送管理システム５０がプレゼンス管理テーブルの内容を各拠点に通知すれば、ユーザは相手の拠点にある端末を容易に把握できる。
【０１３３】
図１６は、伝送管理システム５０が認証する機器を決定する手順を示すシーケンス図の一例である。
S1,2：伝送端末１０ａａと電子黒板３０ａａは互いの通信ＩＤを交換する。伝送端末１０ａｂと電子黒板３０ａｂは互いの通信ＩＤとタイプ識別情報を交換する。当然ながら、存在しない機器とは通信ＩＤとタイプ識別情報を交換できない。
S3,4：電子黒板３０ａａは自機と伝送端末１０ａａの通信ＩＤ及びタイプ識別情報を伝送管理システム５０（外部装置）に送信する。電子黒板３０ａｂは自機と伝送端末１０ａｂの通信ＩＤ及びタイプ識別情報を伝送管理システム５０に送信する。
S5,6：伝送端末１０ａａは自機と電子黒板３０ａａの通信ＩＤ及びタイプ識別情報を伝送管理システム５０に送信する。伝送端末１０ａｂは自機と電子黒板３０ａｂの通信ＩＤ及びタイプ識別情報を伝送管理システム５０に送信する。同じ通信ＩＤを送信する拠点は同じ拠点なので、このステップＳ３〜Ｓ６の処理により、伝送管理システム５０は同じ拠点に存在する機器を把握できる。なお、Ｓ３とＳ５はどちらか一方の送信だけでよく、Ｓ４とＳ６はどちらか一方の送信だけでよいが、拠点にある機器が不明なのですべての機器が通信ＩＤとタイプ識別情報を送信している。優先順位に基づき拠点内で各機器が調停して１つの機器だけが通信ＩＤと接続情報を送信してもよい。
S7：伝送管理システム５０の認証機器決定部５４はプレゼンス管理テーブルに各拠点に存在する機器を登録する。
S8：伝送管理システム５０の認証機器決定部５４はプレゼンス管理テーブルにおいてそれぞれの拠点に共通に存在する機器のうち、優先順位が最も高い機器を認証する機器に決定する。ここでは伝送端末１０が認証する機器に決定されたものとする。
S9,10：伝送管理システム５０の認証機器決定部５４は送受信部５１を介して伝送端末１０ａａ、１０ａｂに認証要求を送信する。
【０１３４】
これにより、伝送端末１０ａａは実施例１にて説明したように、電子黒板３０ａａから接続情報とタイプ識別情報を受信して、電子黒板３０ａａに電子黒板３０ａｂを認証させることができる。
【０１３５】
なお、図１７に示すように、ステップＳ９，１０において、伝送管理システム５０は相手拠点に存在する機器のリストを伝送端末１０ａａ、１０ａｂに通知してもよい。図１７は、伝送端末１０ａａのディスプレイ１２０に表示されたユーザＢの拠点の機器のリスト７０１を示す図の一例である。この機器のリスト７０１の表示は、図１７に示すように電子黒板３０ａａが行ってもよい。
【０１３６】
また、伝送端末１０ａａを用いて電子黒板３０ａａと３０ａｂの認証処理が行われるため、電子黒板３０ａａと３０ａｂの認証処理は不要である旨を表示してもよい。
【０１３７】
したがって、本実施例によれば、各拠点に外部ネットワークを介して認証できる複数の機器が存在する場合でも、適切な機器を選択できる。
【０１３８】
＜その他の適用例＞
以上、本発明を実施するための最良の形態について実施例を用いて説明したが、本発明はこうした実施例に何等限定されるものではなく、本発明の要旨を逸脱しない範囲内において種々の変形及び置換を加えることができる。
【０１３９】
例えば、伝送管理システム５０の機能は複数のサーバに分散して搭載されていてもよい。また、伝送管理システム５０が複数あってもよい。
また、１つの拠点に３つ以上の機器（例えば、伝送端末１０、電子黒板３０及びプロジェクタ）がある場合も、ユーザは１回の認証操作を行うだけで３つの機器をネットワークを介して使用できる。例えば伝送端末１０ａａが電子黒板３０及びプロジェクタの接続情報とタイプ識別情報を相手の拠点の伝送端末１０ａｂに送信すればよい。
本実施形態では主に伝送端末１０が第１通信ネットワークＮ１を介して認証を受けると説明したが、ユーザが携帯端末２０を利用する場合も、同様に電子黒板３０ａｂは電子黒板３０ａａの認証受けることができる。
【符号の説明】
【０１４０】
３、１２０    ディスプレイ
１０          伝送端末
１２          画像出力部
１３          第１接続機器通信部
１４          機器情報送信部
３０          電子黒板
３２          映像取得部
３３          画像処理部
３４          座標検知部
３５          映像重畳部
３６          第２接続機器通信部
３７          サーバ通信制御部
３８          クライアント通信制御部
５０          伝送管理システム
【先行技術文献】
【特許文献】
【０１４１】
【特許文献１】特開２０１０−８７７０４号公報
【図１】
0006531436.tif 000009
【図２】
0006531436.tif 000010
【図３】
0006531436.tif 000011
【図４】
0006531436.tif 000012
【図５】
0006531436.tif 000013
【図６】
0006531436.tif 000014
【図７】
0006531436.tif 000015
【図８】
0006531436.tif 000016
【図９】
0006531436.tif 000017
【図１０】
0006531436.tif 000018
【図１１】
0006531436.tif 000019
【図１２】
0006531436.tif 000020
【図１３】
0006531436.tif 000021
【図１４】
0006531436.tif 000022
【図１５】
0006531436.tif 000023
【図１６】
0006531436.tif 000024
【図１７】
0006531436.tif 000025